(57)【要約】【課題】電子機器において、出荷先や出荷国が異なる仕様変更に際し、ハードの変更を最小化しながら、対応する。【解決手段】電子機器は、パネルデザインシート１４の表裏にそれぞれ異なる文字を記入し、各仕様に対応するプログラム１９Ａ・１９Ｂ・１９Ｃ・１９Ｄを複数個、記憶部１８に記憶し、パネルデザインシート１３は、該シート１３にパネル基板３側へ突出する突起１３ａを設けると共に、パネル基板３には、パネルデザインシート１３の突起１３ａの配設位置を検出するスイッチ仕組１６と、その検出結果に基づいて、使用するプログラムを切替える制御部１７とを備える。【選択図】　図５
2004139449.tif 000002
【特許請求の範囲】
【請求項１】
電子機器のパネルケーシングに被せることにより装着して使用され、操作パネルのキーに対応する開口を有すると共に、操作パネルのキーに関連する文字が記載されたパネルデザインシートであって、
パネルデザインシートの表裏にそれぞれ異なる文字を記入しておく、ことを特徴とするパネルデザインシート。
【請求項２】
各仕様に対応するプログラムを複数個、記憶部に記憶し、仕様に応じて変更される箇所の形態を検出する手段と、その検出結果に基づいて、使用するプログラムを切替える手段とを備える、ことを特徴とする電子機器。
【請求項３】
パネルデザインシートが装着されるパネルケーシングを備える電子機器であって、
各仕様に対応するプログラムを複数個、記憶部に記憶し、パネルデザインシートは、該シートの一部が仕様に応じて異なる形状とされ、パネル基板側には、パネルデザインシートの形状の差異を検出する検出手段と、その検出結果に基づいて、使用するプログラムを切替える手段とを備える、ことを特徴とする電子機器。
【発明の詳細な説明】
【０００１】
【発明の属する技術分野】
本発明は、電気機器の操作パネルに装着するパネルデザインシートおよび、該パネルデザインシートを装着した電子機器に関する。
【０００２】
【従来の技術】
従来より、電子機器においては、各種の仕様に対応するため、ソフトである制御プログラムを変更することが行われている。仕様の変更は、ソフトのバージョンアップ時のみならず、出荷先や出荷国が異なる場合に必要とされる。
ソフト（制御プログラム）の変更が行われると、それに対応して、操作部に設けるスイッチやレバーの機能も変更される。さらには、特定の仕様にだけ存在する機能がある場合は、新規の操作手段（ハード）を操作部に設ける必要が生じることがある。
例えば、特許文献１に示す技術では、取替え可能とした電子機器用スイッチパネルを取り替えて、ソフトの変更を行い、仕様変更に対応するものとしている。該スイッチパネルは各仕様の制御プログラム（ソフト）に基づく操作に対応したものであり、ハードの変更はスイッチパネルのみに留まる。そして、仕様の違いによらずハードの共通化をできる限り実現して、ソフトの変更に比してコスト的に不利なハードの変更を少なくしている。加えて、該スイッチパネルに制御プログラムを記憶させることで、仕様変更に対応した制御プログラムの交換を容易化している。
【０００３】
特に、電子機器の操作部において、スイッチやレバー等の操作手段の機能のみが仕様に応じて変更される場合は、操作部上の機能案内用の文字を変更するだけでよい。操作部に設けるデザインシートには、スイッチやレバー等の機能案内用の文字が記載されている。
例えば、特許文献２に示す技術では、デザインシート（該文献中では化粧板）の両面に、機能案内用の文字を記載可能として、二つの仕様におけるデザインシートの共用化を実現している。具体的には、透明板の一面に文字部分を抜いた黒べた印刷を行うと共に、この黒べた印刷（抜き部分を含む）上にさらに明色印刷を行って構成される。そして、一方の面より見ると、黒べた印刷の抜き部分が文字として視認され、他方の面より見ると明色印刷（上の記載文字）が視認される。
【０００４】
【特許文献１】
特開平１１−２６５６２７号公報
【特許文献２】
特開２０００−３０７２５０号公報
【０００５】
【発明が解決しようとする課題】
前記特許文献１に示す技術では、仕様毎にスイッチパネルを用意しておくことになる。各スイッチパネルには、制御プログラムが書き込まれたメモリを備えるものとなっている。したがって、仕様毎にスイッチパネル自体を用意するか、操作手段の変更がなくパネル自体は共通化できる場合でも、仕様毎に制御プログラムを記憶させたメモリを用意しておくことが必要である。
ソフトのアップグレード等の製造後の仕様変更の場合ではなく、製造時における複数仕様への対応においては、プログラムを記憶したメモリを仕様毎に用意しておくのは、不経済である。
また、前記特許文献２に示す技術では、デザインシートを透明板に限定している。そして、デザインシートに文字部分の抜きを形成した黒べた印刷を行って、該デザインシートにより覆われる本体側の発光を利用して、文字表示の鮮明化を図るものとしている。このため、不透明体のデザインシートに該技術を適用する場合には、構成が複雑であり、コストアップを招くものとなる。
【０００６】
【課題を解決するための手段】
本発明の解決しようとする課題は以上の如くであり、次に該課題を解決するための手段を説明する。
即ち、請求項１においては、電子機器のパネルケーシングに被せることにより装着して使用され、操作パネルのキーに対応する開口を有すると共に、操作パネルのキーに関連する文字が記載されたパネルデザインシートであって、
パネルデザインシートの表裏にそれぞれ異なる文字を記入しておくものである。
【０００７】
請求項２においては、各仕様に対応するプログラムを複数個、記憶部に記憶し、仕様に応じて変更される箇所の形態を検出する手段と、その検出結果に基づいて、使用するプログラムを切替える手段とを備えるものである。
【０００８】
請求項３においては、パネルデザインシートが装着されるパネルケーシングを備える電子機器であって、
各仕様に対応するプログラムを複数個、記憶部に記憶し、パネルデザインシートは、該シートの一部が仕様に応じて異なる形状とされ、パネル基板側には、パネルデザインシートの形状の差異を検出する検出手段と、その検出結果に基づいて、使用するプログラムを切替える手段とを備えるものである。
【０００９】
【発明の実施の形態】
まず、パネルデザインシートおよび電子機器の発明における一実施の形態について説明する。
本実施の形態で説明する操作パネル１は、電子機器の一種であるファクシミリ装置の操作部として用いられるものである。
図１に示すように、操作パネル１はパネルケーシング２を備え、該パネルケーシング２の内側には、パネル基板３・４およびキー仕組５・６・７・８・９・１０・１１・１２が配置される。また、パネルケーシング２の外側表面の一面は操作面２ａとされており、該操作面２ａにパネルデザインシート１３・１４が装着される。
【００１０】
キー仕組５・６・・・には、それぞれキー５ａ・６ａ・・・と、キー５ａ・６ａ・・・の支持部５ｂ・６ｂ・・・とが備えられている。キー５ａ・５ｂ・・・は、支持部５ｂ・６ｂ・・・に、一方向に沿って進退動自在に設けられており、該進退方向の一側には前記操作面２ａの裏面が配置され、該進退方向の他側にはパネル基板３・４が配置される。なお、他のキー仕組７・８・９・１０・１１・１２においても、キー７ａ・８ａ・９ａ・１０ａ・１１ａ・１２ａが、支持部７ｂ・８ｂ・９ｂ・１０ｂ・１１ｂ・１２ｂに進退動自在に設けられている。
【００１１】
パネルケーシング２には、操作面２ａの裏面より表面に向けて、前記キー５ａ・６ａ・・・を突出させる開口２ｂ・２ｂ・・・等が多数開口されている。また、パネル基板３・４には、前記キー５ａ・６ａ・・・の進退動により切替えられる接触式のスイッチ３ａ・４ａ・・・が各キー５ａ・６ａ・・・に対応して設けられている。そして、操作面２ａより外側に突出するキー５ａ・６ａ・・・をオペレータが押圧操作することで、パネル基板３・４上のスイッチ３ａ・４ａ・・・が切替えられる。これらのキー５ａ・６ａ・・・は、操作パネル１を備える電子機器への入力手段である。
また、パネルケーシング２には、操作面２ａの裏面より表面に向けて開口２ｃが形成されており、該開口２ｃに液晶ディスプレイ１５が配置される。液晶ディスプレイ１５は、操作パネル１を備える電子機器の表示手段（出力手段）として機能する。
【００１２】
前記パネルデザインシート１３・１４は、パネルデザインシート２に被せることにより装着して使用されるものであり、操作パネル１に備えるキー５ａ・６ａ・・・に関連する文字の記載（印刷）を有している。キー５ａ・６ａ・・・に関連する文字とは、例えば、各キーの入力指示内容を簡易表示する文字であり、スタートキー１１ａの場合であれば「スタート」という文字である。また、パネルデザインシート１３・１４には、パネルケーシング２の外側に突出するこれらのキーと干渉しないように、これらのキーに対応する複数の開口１３ａ・１４ａをそれぞれ有している。
パネルデザインシート１３は、操作面２ａ上に、液晶ディスプレイ１５やテンキー７ａおよび前記スタートキー１１ａを含む領域に設けられている。液晶ディスプレイ１５上の表示内容を視認可能とするため、パネルデザインシート１３は透明体で形成されている。なお、パネルデザインシート１３を、液晶ディスプレイ１５に対応する部分に開口を有する構成としても良い。
一方、パネルデザインシート１４は、操作面２ａ上に、記憶したファクシミリ送信先をワンタッチで呼び出すことのできるワンタッチキー５ａ・６ａに関連する文字（ワンタッチキー５ａ・６ａを識別するための文字）が配置されている。
【００１３】
パネルデザインシート１４は、パネルデザインシート１３と異なり不透明体で形成されており、裏表両面に文字を記載しても、一方の面の文字表示が他方の面の文字表示に干渉することがない。
このため、パネルデザインシート１４の両面には、それぞれ異なる文字が記載されているが、文字表示が重複して見えにくい等の不具合は発生しない。
また、パネルデザインシート１４に形成されるキー５ａ・６ａに対応した開口１４ａ・１４ａ・・・は、左右方向で対称な配置となっており、左右が逆転するようにパネルデザインシート１４をひっくり返しても、開口１４ａ・１４ａ・・・の形成位置が変化しない。つまり、外側にキー５ａ・６ａが突出するパネルケーシング２に、パネルデザインシート１４を左右でひっくり返して装着することが可能である。なお、前記の左右方向とは、オペレータが操作パネル１に正対した際の左右方向であり、図１において、パネルデザインシート１３・１４が並置される方向である。
【００１４】
パネルデザインシート１４には、ワンタッチキー５ａ・６ａに関連する文字として、通し番号や通しの文字が記載され、これらのキー群の見出しとして機能するようにしている。通しの文字としては、例えば、かな文字やアルファベットを「あ」や「Ａ」から順に並べたものとしている。
図２に示すように、パネルデザインシート１４の一方の面には、ワンタッチキー５ａ・６ａの各キー毎に、通し番号としてのアラビア数字と、通しの文字としてのかな文字とが記載されている。図中、左上のキーに対応する部位には、「０１」および「あ」が記載され、該キーの右隣のキーには「０２」および「い」が記載される。以下、左から右へ一列進むと、一段下がって再び左から右に向けて、各キーに対応した位置に通し番号および通しの文字が記載される。
図３に示すように、パネルデザインシート１４の他方の面にも、ワンタッチキー５ａ・６ａの各キー毎に、通し番号としてアラビア数字と、通しの文字としてアルファベットとが記載されている。図中、左上のキーに対応する部位には、「０１」および「Ａ」が記載され、該キーに右隣のキーには「０２」および「Ｂ」が記載される。通し番号および通しの文字が記載の記載位置および順序は、前記一方の面の場合と同様である。
【００１５】
両面に文字が記載されたパネルデザインシート１４において、図２に示す面は、例えば、日本国内出荷用の電子機器にパネルデザインシート１４を装着する際に、表面とする面である。
また、パネルデザインシート１４の図３に示す面は、例えば、海外（英語圏）出荷用の電子機器にパネルデザインシート１４を装着する際に、表面とする面となっている。
【００１６】
以上のように、パネルデザインシート１４の表裏にそれぞれ異なる文字を記入しておくことで、一枚のパネルデザインシート１４により、二つの出荷形態に対応させることができる。このため、出荷形態毎に異なる仕様に対して、部品の共用化を図ることができるので、在庫部品数の削減を図ることができる。
【００１７】
また、パネルデザインシートの表裏に記載する「異なる文字」とは、次のことを意味する。
「文字」とは、「言語を視覚的に表す記号の体系」のことであるので、文字が異なる場合としては、言語の相違と、字体の相違による視覚的な相違とが存在する。つまり、「異なる文字」とは、「言語」もしくは「字体」の相違する文字のことである。
言語の相違は、英語や日本語等の相違を意味し、字体の相違は、ボールドやイタリック、明朝体や草書体（漢字の場合）等を意味する。
【００１８】
したがって、パネルデザインシートの表裏にそれぞれ異なる文字を記入するとは、例えば、表裏にそれぞれ異なる国の言語で示す文字を記入しておくことを意味している。
そして、パネルデザインシートにおいて、表裏のうち一方の面には第一国の言語で示す文字を記入し、他方の面には第二国の言語で示す文字を記入しておく。本実施の形態でも、パネルデザインシート１４には、一方の面に日本語のかな文字が記入され、他方の面に英語のアルファベットが記入されている。
【００１９】
なお、一枚のパネルデザインシート１４により対応させる二つの出荷形態とは、出荷国の相違に限定されるものではない。両面に文字を記載したパネルデザインシートは、出荷国の相違だけでなく、出荷先の相違する二つの異なる出荷形態に対して、適用することも可能である。
出荷先の相違とは、例えば、自社で完成品を販売するのではなく、異なる製造メーカーの甲社と乙社に、電子機器の一部（パネルデザインシートもしくは操作パネル）や電子機器全体を出荷する場合のことである。そして、出荷先に応じたロゴマークをパネルデザインシートに記載することがある。なお、ここで自社とは、パネルデザインシート１４の製造を行う企業を指す。
このような場合に、裏表でロゴマークの異なるパネルデザインシートを形成することで、出荷先の異なる二つの仕様（出荷形態）に対応させることが可能である。
【００２０】
また、一枚のパネルデザインシート１４において、両面の色彩が異なるように形成して、出荷製品の相違する二つの出荷形態に対応させることも可能である。出荷物品の相違とは、パネルデザインシートの形状は同一であるが、該パネルデザインシートを装着する操作パネルの形状、構成が相違したり、操作パネルを備える電子機器の形状、構成が相違する場合を意味する。あるいは、電子機器の外殻を構成するケーシングの色彩のみが相違する場合をも含める。そして、操作パネルあるいは電子機器全体の外観の変化やケーシングの色彩の相違により、パネルデザインシートの色彩の異なる仕様を必要とすることがある。
このような場合に、両面の色彩が異なるようにパネルデザインシートを形成することで、一枚のパネルデザインシートにより、出荷製品の異なる二つの仕様（出荷形態）に対応させることが可能である。
【００２１】
また、操作パネル１において、両面に異なる文字を記載したパネルデザインシートは、前記パネルデザインシート１４のみであるが、パネルケーシング２に被せることにより装着するパネルデザインシートのすべてに、両面で異なる文字を記載して、二つの出荷形態に対応可能としてもよい。
操作パネル１上のキー配置（および液晶ディスプレイ１５の配置）は、パネルデザインシート１４の配置部位においては左右対称であるが、パネルデザインシート１３の配置部位においては、左右非対称である。パネルデザインシート１３に代えて、左右もしくは上下で対象となる部位毎に、該パネルデザインシート１３よりも小区分されたパネルデザインシートを用いたり、操作パネル１上のキー配置（および液晶ディスプレイ１５の配置）を左右もしくは上下で対称とすることで、両面に異なる文字を記載したパネルデザインシートのパネルケーシング２への装着が可能である。
【００２２】
また、両面に文字を記入するパネルデザインシートにおいて、記入する文字の内容としては、前述した「キーに関連する文字」だけでなく、「液晶ディスプレイに関連する文字」としてもよい。
この場合には、液晶ディスプレイを覆うパネルデザインシートを、少なくとも液晶ディスプレイ外側の部分は不透明体で形成し、その不透明部分で、表裏それぞれに異なる文字を記入しておけばよい。また、該パネルデザインシートのディスプレイに対応する部分には開口を形成し、シート全体を不透明体として、前記パネルデザインシート１４と同様に構成しても良い。
【００２３】
次に、パネルケーシング２に装着するパネルデザインシートの形状の違いにより、電子機器で使用するプログラムを切替える機構について説明する。
図１、図４（ａ）、図４（ｂ）に示すように、パネルデザインシート１３の装着面（パネルケーシング２側の面）には、突起１３ｂが突設されている。また、操作面２ａには、パネルケーシング２の内外を貫通する挿通孔２ｄが複数形成されている。そして、操作パネル１へのパネルデザインシート１３の装着状態において、複数形成される前記挿通孔２ｄのいずれか一つを介して、突起１３ｂがパネル基板３側へ突出する。
パネル基板３の操作面２ａ側の面には、突起１３ｂに対する受け部として、スイッチ仕組１６が立設されている。スイッチ仕組１６は四つの接触式スイッチ１６ａ・１６ｂ・１６ｃ・１６ｄを備えており、該スイッチのいずれか一つに前記突起１３ｂが接触するものとなっている。
【００２４】
以上において、スイッチ仕組１６は、パネルデザインシート１３の形状の差異を検出する検出手段であり、前記突起１３ｂは、該検出手段により検出される被検出部となっている。
パネルデザインシート１３には、突起１３ｂを突設する箇所の候補が四つ存在しており、それぞれ位置Ａ・Ｂ・Ｃ・Ｄである。本実施の形態においては、位置Ａは自社日本国内出荷用であり、位置Ｂは自社アメリカ出荷用であり、位置Ｃは自社ヨーロッパ出荷用であり、位置Ｄは甲社出荷用となっている。
つまり、パネルデザインシート１３は、該パネルデザインシート１３の一部が、仕様に応じて異なる形状となるようにされている。
以下において、位置Ａに突起１３ｂを形成したパネルデザインシート１３をパネルデザインシート１３Ａとし、位置Ｂ・Ｃ・Ｄに形成したものをそれぞれパネルデザインシート１３Ｂ・１３Ｃ・１３Ｄとする。これらのパネルデザインシート１３Ａ・１３Ｂ・１３Ｃ・１３Ｄは、突起１３ｂの突設部位のみが相違するものである。
そして、パネルデザインシート１３Ａを操作パネル１に装着すると、スイッチ仕組１６のスイッチ１６ａが押圧されて、スイッチ１６ａよりパネルデザインシート１３Ａの検出信号が発信される。
【００２５】
図５に示すように、パネル基板３には、制御部１７と記憶部１８とが設けられている。
記憶部１８には、出荷国および出荷先等の出荷形態に応じて、各仕様にそれぞれ対応するプログラムが記憶されており、それぞれプログラム１９Ａ・１９Ｂ・１９Ｃ・１９Ｄである。プログラム１９Ａは自社日本国内出荷用の仕様であり、プログラム１９Ｂは自社アメリカ出荷用の仕様であり、プログラム１９Ｃは自社ヨーロッパ出荷用の仕様であり、プログラム１９Ｄは甲社出荷用の仕様となっている。
そして、制御部１７は、前記各スイッチ１６ａ・１６ｂ・１６ｃ・１６ｄからの検出信号に基づいて、記憶部１８に記憶される複数のプログラム１９Ａ・１９Ｂ・１９Ｃ・１９Ｄのうち、使用するプログラムを切替える処理を行う。
例えば、自社日本国内出荷用の仕様としたパネルデザインシート１３Ａが操作パネル１に装着されると、スイッチ１６ａより検出信号が発せられ、制御部１７はその検出結果に基づいて、電子機器で使用するプログラムを、自社日本国内出荷用の仕様であるプログラム１９Ａに切替える。
【００２６】
以上のようにして、パネルデザインシート１３の形状の違いにより、電子機器で使用するプログラムを切替える機構が構成されている。
このため、仕様に応じたプログラムを記憶したパネル基板を、必要とされる仕様の数だけ用意する必要がなく、仕様に関わりなくパネル基板の共通化を図ることができる。また、使用するプログラムの切替えのトリガーは、工場等におけるパネルデザインシートの装着作業でよいので、ユーザによる入力操作が不要であり、プログラムの切替えが容易かつ確実である。
【００２７】
また、以上においては、パネルデザインシート１３に形成する被検出部を突起１３ｂとし、検出手段は、該突起１３ｂの接触により突起１３ｂの突設位置の違い（位置Ａ・Ｂ・Ｃ・Ｄの違い）を検出するスイッチ仕組１６としている。
被検出部および該被検出部の有無を検出する検出手段の構成としては、前記の構成に限定されるものではなく、例えば、次のようなものであってもよい。
一例としては、被検出部の構成としては、パネルデザインシートの四隅のいずれか一つを切欠くものとする。また、該切欠きを検出する検出手段の構成としては、パネルデザインシート側へ突出する突出体を備えた接触式のスイッチを、パネルデザインシートの四隅に対応する部位で、パネル基板上に設けるものとする。そして、突出体がパネルデザインシートに接触しない部位である切欠きを検出することにより、パネルデザインシートの形状の違いを検出するものとする。
【００２８】
次に、電子機器の発明における一実施の形態について説明する。
本実施の形態で説明する複合機２０は、コピー機能とファクシミリ機能とを有する電子機器である。
図６に示すように、複合機２０は、スキャナ装置およびプリンタ装置を有する本体２１の上方に、操作パネル２２および自動原稿搬送装置（以下ＡＤＦ）２３を備え、本体２１の下方に給紙カセット装置２４を備えている。
また、複合機２０のケーシングの表面で、ＡＤＦ２３の側部には、ロゴプレート２５が装着されている。
【００２９】
複合機２０には、仕様に応じて変更される箇所の形態の違いにより、該複合機２０で使用するプログラムを切替える機構が備えられている。以下、該機構について説明する。
ここで、仕様に応じて変更される箇所とは、操作パネルに装着するパネルデザインシートに限定するものではなく、他の部位であってもよい。本実施の形態では、仕様に応じて変更される箇所を、複合機２０のケーシングに装着するロゴプレート２５としている。
ロゴプレート２５は、社名・商品名などの意匠文字が記されたプレート部材であり、出荷国や出荷先等の相違する出荷形態によって、デザイン（特に背景の色彩など）が変化するものである。
また、仕様に応じて変更される箇所の形態において、形態とは、形状および素材の違いを意味するものである。
【００３０】
図７に示すように、仕様に応じて変更される箇所であるロゴプレート２５に対し、該変更箇所の検出手段として、スイッチ仕組２６が複合機２０内部に設けられている。スイッチ仕組２６は四つの接触式スイッチ２６ａ・２６ｂ・２６ｃ・２６ｄを備えている。
一方、ロゴプレート２５の裏面（装着面）には、前記パネルデザインシート１３と同様に、複合機２０内部側へ突出する突起２５ａが突設されており、前記スイッチのいずれか一つに前記突起２５ａが接触するものとなっている。ロゴプレート２５には、スイッチ仕組２６に備える四つのスイッチに対応して、四ヶ所の突起２５ａの突設位置が設定されている。本実施の形態においては、位置Ｅは自社日本国内出荷用であり、位置Ｆは自社アメリカ出荷用であり、位置Ｇは自社ヨーロッパ出荷用であり、位置Ｈは甲社出荷用となっている。
以下において、位置Ｅに突起２５ａを形成したロゴプレート２５をロゴプレート２５Ｅとし、位置Ｆ・Ｇ・Ｈに形成したものをそれぞれロゴプレート２５Ｆ・２５Ｇ・２５Ｈとする。これらのロゴプレート２５Ｅ・２５Ｆ・２５Ｇ・２５Ｈは、突起２５ａの突設部位のみが相違するものである。
そして、ロゴプレート２５Ｅを複合機２０に装着すると、スイッチ仕組２６のスイッチ２６ａが押圧されて、スイッチ２６ａよりロゴプレート２５Ｅの検出信号が発信される。
【００３１】
また、図７に示すように、複合機２０内部には、制御部２７と記憶部２８とが設けられている。なお、制御部２７と記憶部２８との配設部位は、前記電子機器と同様に、操作パネル２２内に設けるパネル基板上としてもよく、他の部位であってもよい。
記憶部２８には、出荷国および出荷先等の出荷形態に応じて、各仕様にそれぞれ対応するプログラムが記憶されており、それぞれプログラム２９Ｅ・２９Ｆ・２９Ｇ・２９Ｈである。プログラム２９Ｅは自社日本国内出荷用の仕様であり、プログラム２９Ｆは自社アメリカ出荷用の仕様であり、プログラム２９Ｇは自社ヨーロッパ出荷用の仕様であり、プログラム２９Ｈは甲社出荷用の仕様となっている。
そして、制御部２７は、前記各スイッチ２６ａ・２６ｂ・２６ｃ・２６ｄからの検出信号に基づいて、記憶部２８に記憶される複数のプログラム２９Ｅ・２９Ｆ・２９Ｇ・２９Ｈのうち、使用するプログラムを切替える処理を行う。
例えば、自社日本国内出荷用の仕様としたロゴプレート２５Ｅが複合機２０に装着されると、スイッチ２６ａより検出信号が発せられ、制御部２７はその検出結果に基づいて、電子機器で使用するプログラムを、自社日本国内出荷用の仕様であるプログラム２９Ｅに切替える。
【００３２】
以上のようにして、ロゴプレート２５の形状の違いにより、電子機器で使用するプログラムを切替える機構が構成されている。
このため、仕様に応じたプログラムを記憶した記憶部を、必要とされる仕様の数だけ用意する必要がなく、仕様に関わりなく記憶部の共通化を図ることができる。また、使用するプログラムの切替えのトリガーは、仕様に応じて変更される箇所の装着作業でよいので、ユーザによる入力操作が不要であり、プログラムの切替えが容易かつ確実である。
【００３３】
なお、本実施の形態では、仕様に応じて変更される箇所における形態の違いを、形状の違いとしているが、素材の違いとしてもよい。例えば、ロゴプレートの背面（装着面）を導電性の素材としたものと、非導電性の素材としたものとを用意し、これらの素材の違いによる導通の有無検出をトリガーとして、複合機２０で使用するプログラムの切替えを行うようにしてもよい。
また、本実施の形態では、電子機器として複合機２０としているが、他の電子機器に、以上の構成を適用するものであってもよい。
【００３４】
【発明の効果】
請求項１記載の如く、電子機器のパネルケーシングに被せることにより装着して使用され、操作パネルのキーに対応する開口を有すると共に、操作パネルのキーに関連する文字が記載されたパネルデザインシートであって、
パネルデザインシートの表裏にそれぞれ異なる文字を記入しておくので、
一枚のパネルデザインシートにより、二つの出荷形態に対応させることができる。このため、出荷形態毎に異なる仕様に対して、部品の共用化を図ることができるので、在庫部品数の削減を図ることができる。
【００３５】
請求項２記載の如く、各仕様に対応するプログラムを複数個、記憶部に記憶し、仕様に応じて変更される箇所の形態を検出する手段と、その検出結果に基づいて、使用するプログラムを切替える手段とを備えるので、
仕様に応じたプログラムを記憶した記憶部を、必要とされる仕様の数だけ用意する必要がなく、仕様に関わりなく記憶部の共通化を図ることができる。また、使用するプログラムの切替えのトリガーは、仕様に応じて変更される箇所の装着作業でよいので、ユーザが特別に仕様切替え用の入力操作を行う必要がなく、プログラムの切替えが容易かつ確実である。
【００３６】
請求項３記載の如く、パネルデザインシートが装着されるパネルケーシングを備える電子機器であって、
各仕様に対応するプログラムを複数個、記憶部に記憶し、パネルデザインシートは、該シートの一部が仕様に応じて異なる形状とされ、パネル基板側には、パネルデザインシートの形状の差異を検出する検出手段と、その検出結果に基づいて、使用するプログラムを切替える手段とを備えるので、
仕様に応じたプログラムを記憶したパネル基板を、必要とされる仕様の数だけ用意する必要がなく、仕様に関わりなくパネル基板の共通化を図ることができる。また、使用するプログラムの切替えのトリガーは、工場等におけるパネルデザインシートの装着作業でよいので、ユーザが特別に仕様切替え用の入力操作を行う必要がなく、プログラムの切替えが容易かつ確実である。
【図面の簡単な説明】
【図１】図１は操作パネル１の組立構成を示す斜視図である。
【図２】図２はパネルデザインシート１４の日本国内出荷用の表示面を示す図である。
【図３】図３はパネルデザインシート１４の海外出荷用の表示面を示す。
【図４】図４はパネルデザインシート１３の上面および右側面を示す二面図であり、（ａ）図は上面図であり、（ｂ）図は右側面図である。
【図５】図５はパネルデザインシート１３をトリガーとするプログラムの切替え機構を示すブロック図である。
【図６】図６は電子機器２０を示す斜視図である。
【図７】図７はロゴプレート２５をトリガーとするプログラムの切替え機構を示すブロック図である。
【符号の説明】
１　操作パネル
２　パネルケーシング
３・４　パネル基板
５ａ・６ａ・７ａ・８ａ・９ａ・１０ａ・１１ａ・１２ａ　キー
１３・１４　パネルデザインシート
１３ａ・１４ａ　開口
１６　スイッチ仕組
１８　記憶部
１９　制御部
２０　複合機
【図１】
2004139449.tif 000003
【図２】
2004139449.tif 000004
【図３】
2004139449.tif 000005
【図４】
2004139449.tif 000006
【図５】
2004139449.tif 000007
【図６】
2004139449.tif 000008
【図７】
2004139449.tif 000009